(57)【要約】【課題】インシュレータを利用して、ステータコアに対する端子台の位置決め及び取付けを正確に行うことができる回転電機用ステータの端子台を提供すること。【解決手段】回転電機用ステータ１の端子台５は、回転電機用ステータ１におけるコイル３を、外部のインバータ等の機器に接続するための部分である。端子台５は、絶縁性を有しており、コイル３の動力端部３３に導通される動力線導体５１Ａ，５１Ｂ，５１Ｃを保持して、ステータコア２の軸方向端面２０１に配置される。端子台５は、コイル３をステータコア２のティース２１に装着する絶縁性のインシュレータ４Ａと一体化されている。【選択図】図１
2015192457.tif 000002
【特許請求の範囲】
【請求項１】
回転電機用ステータに用いられ、コイルの動力端部に導通される動力線導体を保持してステータコアの軸方向端面に配置される、絶縁性の端子台であって、
該端子台は、上記コイルを上記ステータコアのティースに装着する絶縁性のインシュレータと一体化されていることを特徴とする回転電機用ステータの端子台。
【請求項２】
上記動力線導体は、上記端子台にインサート成形されていることを特徴とする請求項１に記載の回転電機用ステータの端子台。
【請求項３】
上記端子台は、上記インシュレータと一体成形されていることを特徴とする請求項１又は２に記載の回転電機用ステータの端子台。
【請求項４】
上記回転電機用ステータは、３相の上記コイルが上記ステータコアに配置された３相回転電機用ステータであり、
上記端子台には、３相の上記動力線導体が設けられていることを特徴とする請求項１〜３のいずれか一項に記載の回転電機用ステータの端子台。
【発明の詳細な説明】
【技術分野】
【０００１】
本発明は、動力線導体が保持される、回転電機用ステータの端子台に関する。
【背景技術】
【０００２】
回転電機用のステータにおいて、コイルから引き出された動力端部は、ステータコアの軸方向端面に配置された端子台に支持された動力線導体に接続されている。ステータの組付を行う際には、治具等によって端子台を保持して、ステータコアの軸方向端面に対する端子台の位置決めを行い、この端子台に設けられた動力線導体に対して、コイルの動力端部を溶接等によって接合している。また、治具等を用いて端子台を保持する代わりに、端子台に設けられた突出部を、ステータコアに設けられた穴に圧入することが行われている。
【０００３】
例えば、特許文献１の回転電機においては、コイルのコイルエンド部と、コイルに電力を供給する給電経路に接続される端子台とを、モールド樹脂部によって一体的に固定することが開示されている。また、端子台に形成された複数の爪部を、互いに接するコイル間に形成された隙間に差し込むことにより、端子台の位置決めを簡単に行うことが開示されている。
【先行技術文献】
【特許文献】
【０００４】
【特許文献１】特開２００９−２９１００４号公報
【発明の概要】
【発明が解決しようとする課題】
【０００５】
しかしながら、端子台を保持する治具等を用いる場合には、ステータを組み付ける設備が複雑になる。また、ステータコアに穴を開ける場合には、この穴の周囲において磁気特性が悪化し、回転電機の性能を低下させてしまう。特許文献１においては、端子台の位置決めに治具等が必要とならず、ステータコアに穴を開ける必要もない。しかしながら、特許文献１においては、コイルのコイルエンド部及びコイル間の隙間を利用して端子台の位置決めを行っている。そのため、コイルの成形状態及び配置状態によっては、端子台の位置が正確に定まらないおそれがある。
【０００６】
本発明は、かかる背景に鑑みてなされたもので、インシュレータを利用して、ステータコアに対する端子台の位置決め及び取付けを正確に行うことができる回転電機用ステータの端子台を提供しようとして得られたものである。
【課題を解決するための手段】
【０００７】
本発明の一態様は、回転電機用ステータに用いられ、コイルの動力端部に導通される動力線導体を保持してステータコアの軸方向端面に配置される、絶縁性の端子台であって、
該端子台は、上記コイルを上記ステータコアのティースに装着する絶縁性のインシュレータと一体化されていることを特徴とする回転電機用ステータの端子台にある。
【発明の効果】
【０００８】
上記回転電機用ステータの端子台は、コイルをステータコアのティースに装着する絶縁性のインシュレータと一体化されている。コイルは、インシュレータの外周に装着され、インシュレータは、ステータコアのティースに装着される。そして、インシュレータに端子台が一体化されていることにより、インシュレータをティースに装着することによって、ステータコアに対する端子台の位置決め及び取付けを行うことができる。
それ故、上記回転電機用ステータの端子台によれば、インシュレータを利用して、ステータコアに対する端子台の位置決め及び取付けを正確に行うことができる。
【図面の簡単な説明】
【０００９】
【図１】実施例にかかる、ステータを示す斜視図。
【図２】実施例にかかる、インシュレータと一体成形された端子台が配置されたステータコアを示す斜視図。
【図３】実施例にかかる、インシュレータと一体成形された端子台を示す斜視図。
【図４】実施例にかかる、インシュレータと一体成形された端子台を示す平面図。
【発明を実施するための形態】
【００１０】
上述した回転電機用ステータの端子台における好ましい実施の形態について説明する。
上記回転電機用ステータの端子台においては、上記コイルは、略四角形状の断面を有する平角線が巻かれた状態で形成されていてもよい。そして、上記動力線導体は、上記コイルを形成する平角線と同様の平角線によって形成されていてもよい。
【００１１】
また、上記動力線導体は、上記端子台にインサート成形されていてもよい。この場合には、動力線導体を容易に端子台に設けることができる。
また、上記端子台は上記インシュレータと一体成形されていてもよい。この場合には、端子台を、インシュレータに含まれる一部品として製造することができる。そして、部品点数を少なくして、ステータを製造するための管理を容易にすることができる。なお、端子台は、インシュレータと別体に成形して、成形後にインシュレータと一体化することもできる。
【００１２】
また、上記回転電機用ステータは、３相の上記コイルが上記ステータコアに配置された３相回転電機用ステータであり、上記端子台には、３相の上記動力線導体が設けられていてもよい。この場合には、端子台を成形するときに、３相の動力線導体の相互位置を決定することができ、３相の動力線導体の相互位置決めを容易に行うことができる。
また、各相の動力線導体は、別々のインシュレータに一体化された端子台にそれぞれ設けることもできる。
【実施例】
【００１３】
以下に、回転電機用ステータの端子台にかかる実施例について、図面を参照して説明する。
本例の回転電機用ステータ１の端子台５は、図１に示すように、回転電機用ステータ１におけるコイル３を、外部のインバータ等の機器に接続するための部分である。端子台５は、絶縁性を有しており、コイル３の動力端部３３に導通される動力線導体５１Ａ，５１Ｂ，５１Ｃを保持して、ステータコア２の軸方向端面２０１に配置される。端子台５は、コイル３をステータコア２のティース２１に装着する絶縁性のインシュレータ４Ａと一体化されている。
【００１４】
以下に、本例の回転電機用ステータ１の端子台５について、図１〜図４を参照して詳説する。
図１に示すように、本例の回転電機用ステータ１は、３相のコイル３がステータコア２に配置された３相回転電機用ステータである。図２に示すように、ステータコア２は、複数の電磁鋼板を軸方向Ｌに積層して形成されたものである。ステータコア２は、その内周側にロータを配置して使用するものであり、円環状のヨーク部２３の内周側に、複数のティース２１が放射状に突出して形成されている。また、複数のティース２１同士の間には、コイル３が配置されるスロット２２が形成されている。
本例のステータコア２は円環状に形成された一体コアである。ステータコア２は、一体コアとする以外にも、ステータコア２をスロット２２の形成位置において分割した分割コアを組み合わせたものとすることもできる。
【００１５】
図１に示すように、ステータコア２には、３相のコイル３が同じ配列順序で繰り返し配置されている。コイル３は、ティース２１の外周にインシュレータ４を介して装着される集中巻きコイルである。本例の３相のコイル３は、スター結線によって接続されている。各相のコイル３は、一方側端部３１及び他方側端部３２において互いに連結されて、複数のコイル３が連なった連コイルを形成している。各相の連コイルの一端部は互いに接合されて中性点３４を形成し、各相の連コイル３の他端部は、動力端部３３として、端子台５に保持される動力線導体５１Ａ，５１Ｂ，５１Ｃに接合される。
なお、３相のコイル３はデルタ結線によって接続することもできる。この場合においても、動力線導体５１Ａ，５１Ｂ，５１Ｃを保持する端子台５を用いることができる。
【００１６】
図３に示すように、端子台５は、インシュレータ４Ａを形成する樹脂と同じ樹脂によって、インシュレータ４Ａと一体成形されている。このインシュレータ４Ａを一体成形インシュレータ４Ａと呼ぶ。一体成形インシュレータ４Ａ及び他のインシュレータ４は、ティース２１の外周に装着される略四角環形状の装着部４１と、装着部４１における、ティース２１の外周側に配置される端部に形成されたフランジ部４３とを有している。装着部４１には、コイル３を支持するための弾性変形可能な支持部４２が設けられている。コイル３は、フランジ部４３と、支持部４２の先端に設けられた突起部４２１との間に挟まれて、装着部４１に支持される。
端子台５は、一体成形インシュレータ４Ａのフランジ部４３に繋がって形成されている。また、端子台５は、ステータコア２のヨーク部２３の円形状に沿った円弧形状に形成されている。
【００１７】
各コイル３は、略四角形状の断面を有する平角線３０１が、略四角環形状に巻かれて形成されている。また、各コイル３は、ステータコア２の径方向の外方に行くほど周方向Ｃの幅が大きくなる台形形状に形成されている。
図３、図４に示すごとく、３相の動力線導体５１Ａ，５１Ｂ，５１Ｃは、インシュレータ４Ａと一体成形された端子台５にインサート成形されている。３相の動力線導体５１Ａ，５１Ｂ，５１Ｃは、端子台５を貫通して設けられている。３相の動力線導体５１Ａ，５１Ｂ，５１Ｃにおける、端子台５からステータコア２の外周側に突出する突出部５１１は、互いに平行な状態で、ステータコア２の軸方向Ｌに直交する平面方向に並んでいる。また、３相の動力線導体５１Ａ，５１Ｂ，５１Ｃにおける、端子台５からステータコア２の内周側に突出する接合部５１２は、各相の連コイルの動力端部３３を構成する各相のコイル３の一方側端部３１とそれぞれ接合されるように、突出部５１１から屈曲して形成されている。
【００１８】
図１に示すように、動力線導体５１Ａ，５１Ｂ，５１Ｃに接合される各相のコイル３の一方側端部３１は、コイル３における外周側端部において、ステータコア２の軸方向Ｌの一方側の外方に引き出されている。また、各相のコイル３の他方側端部３２は、他の同相のコイル３の一方側端部３１と接合されるよう、コイル３における内周側端部から、ステータコア２の軸方向Ｌの一方側の外方における周方向Ｃに引き出されている。
【００１９】
端子台５に設けられた第１の動力線導体５１Ａの接合部５１２は、一体成形インシュレータ４Ａの装着部４１に装着されたコイル３の一方側端部３１と径方向に対面して接合される。また、端子台５に設けられた第２の動力線導体５１Ｂの接合部５１２は、他のインシュレータ４に装着されたコイル３の一方側端部３１と径方向に対面して接合される。さらに、端子台５に設けられた第３の動力線導体５１Ｃの接合部５１２は、さらに他のインシュレータ４に装着されたコイル３の一方側端部３１と径方向に対面して接合される。
【００２０】
本例のステータを製造するに当たっては、図２に示すように、端子台５が一体成形された一体成形インシュレータ４Ａを先にステータコア２のティース２１に装着する。一体成形インシュレータ４Ａに装着されるコイル３は、ステータコア２のティース２１への他のコイル３の装着が終わった後に、一体成形インシュレータ４Ａの装着部４１に装着することができる。一体成形インシュレータ４Ａに装着されるコイル３を除く残りの各コイル３は、インシュレータ４の外周に装着された状態で、ステータコア２のティース２１に装着される。
また、ステータコア２を複数の分割コアから構成する場合には、一体成形インシュレータ４Ａ及びコイル３が装着された分割コアが、他のインシュレータ４及びコイル３が装着された他の分割コアと一体的に組み付けられる。
【００２１】
本例の回転電機用ステータ１の端子台５は、コイル３をステータコア２のティース２１に装着する絶縁性のインシュレータ４Ａと一体成形されている。コイル３は、インシュレータ４Ａの装着部４１の外周に装着され、インシュレータ４Ａの装着部４１は、ステータコア２のティース２１に装着される。そして、インシュレータ４Ａに端子台５が一体化されていることにより、インシュレータ４Ａをティース２１に装着することによって、ステータコア２に対する端子台５の位置決め及び取付けを行うことができる。
それ故、回転電機用ステータ１の端子台５によれば、インシュレータ４Ａを利用して、ステータコア２に対する端子台５の位置決め及び取付けを正確に行うことができる。
【００２２】
本例の端子台５は、インシュレータ４Ａと一体成形されていることにより、インシュレータ４Ａに含まれる一部品として製造することができる。そして、部品点数を少なくして、ステータを製造するための管理を容易にすることができる。
また、端子台５には、端子台５における動力線導体５１Ａ，５１Ｂ，５１Ｃに接続する、コイル３の一方側端部３１を端子台５における接合位置へ案内する案内部を設けることができる。この場合には、動力線導体５１Ａ，５１Ｂ，５１Ｃとコイル３の一方側端部３１との位置決めを簡単に行うことができる。
また、端子台５は、３相（３つ）のインシュレータ４に対して別々に一体的に設けることもできる。この場合にも、部品点数の増加を防止することができ、各動力線導体５１Ａ，５１Ｂ，５１Ｃを各インシュレータ４に一体成形することができる。
【符号の説明】
【００２３】
１  回転電機用ステータ
２  ステータコア
２１  ティース
３  コイル
３０１  平角線
３３  動力端部
４  インシュレータ
４Ａ  一体成形インシュレータ
５  端子台
５１Ａ、５１Ｂ，５１Ｃ  動力線導体
【図１】
2015192457.tif 000003
【図２】
2015192457.tif 000004
【図３】
2015192457.tif 000005
【図４】
2015192457.tif 000006